(57)【要約】      （修正有）【課題】携帯して使用する利便性を向上させた携帯式篩板霧化器を提供する。【解決手段】携帯式篩板霧化器３は、液カップ装置３１と、液カップ装置３１の一側に設けられるとともに液カップ装置３１に連結された噴霧ユニット３２と、液カップ装置３１に連接された振動装置３３とからなる。その内、液カップ装置３１は、液体の薬剤を収容することができる液カップ３１１と、液カップ３１１に蓋をすることができる蓋体３１３と、蓋体３１３に反対で液カップ３１１の底面に設けられるとともに振動装置３３に対応する連結部３１４とを備える。また、振動装置３３内部には、回路モジュール３３１と、振動装置３３の一側に設けられた入力インターフェイス３３２と、回路モジュール３３１と入力インターフェイス３３２にそれぞれ電気的に接続される蓄電モジュール３３３と、振動装置３３に設けられるとともに連結部３１４に対応し相互に連結される接合部３３４とを備える。【選択図】図２
0003209155.tif 000002
【実用新案登録請求の範囲】
【請求項１】
液カップ装置と、前記液カップ装置の一側に設けられるとともに前記液カップ装置と連結される噴霧ユニットと、前記液カップ装置に連結される振動装置と、からなる携帯式篩板霧化器であって、
前記液カップ装置は、液体の薬剤を収容できる液カップと、前記液カップの蓋をする蓋体と、前記蓋体に反対で前記液カップの底面に設けられるとともに前記振動装置に対応する連結部とを備え、
その内、前記噴霧ユニットは、前記液カップ内の薬剤を霧化して噴出させることができ、
前記振動装置内部には、回路モジュールと、前記振動装置の一側に設けられた入力インターフェイスと、前記回路モジュール及び入力インターフェイスにそれぞれ電気的に連結される蓄電モジュールと、前記振動装置の頂面に設けられるとともに前記連結部に対応して相互に連結される接合部とを備え、
以上の構造により、前述前記回路モジュールが起動すると、前記液カップに振動が生じ、それにより、前記液体薬剤は振動の過程で霧化した薬剤になり、前記噴霧ユニットより外へ噴出されることを特徴とする、携帯式篩板霧化器。
【請求項２】
前記液カップにおける前記噴霧ユニットに対応する箇所には、枢設台座が形成され、前記噴霧ユニットは、前記枢設台座と相互に接合されるノズルと、前記ノズルと枢設台座の間に設けられた霧化モジュールとを備えることを特徴とする、請求項１に記載の携帯式篩板霧化器。
【請求項３】
前記振動装置における前記入力インターフェイスと反対の一側に、前記回路モジュールと連接する導電部材が設けられ、前記導電部材は前記連結部内まで伸ばして配置されるとともに前記霧化モジュールに連接されることを特徴とする、請求項１に記載の携帯式篩板霧化器。
【請求項４】
前記入力インターフェイスはＵＳＢポートであることを特徴とする、請求項１に記載の携帯式篩板霧化器。
【請求項５】
前記入力インターフェイスは電源接続ポートであることを特徴とする、請求項１に記載の携帯式篩板霧化器。
【考案の詳細な説明】
【技術分野】
【０００１】
本考案は、篩板霧化器の設計に関し、特に、携帯使用に便利な携帯式篩板霧化器に関する。
【背景技術】
【０００２】
図１を参照する。従来の篩板式噴霧器１は、本体１１と、前記本体１１の一側に設けられたノズル１２と、前記本体１１に設けられるとともに前記ノズル１２に連接され且つ液体薬剤ａを収容する液カップ１３と、前記本体１１内に設けられるとともに前記液カップ１３に連接された振動装置１４（図では簡単に表示する）とを備える。従来の篩板式噴霧器１を使用する際は、前記液カップ１３下に設けられた前記振動装置１４を作動させることで振動が形成する。それにより、前記液カップ１３内の前記薬剤ａが前記振動に連動し、前記ノズル１２を介して前記液カップ１３内の薬剤が霧化状になって外へ放出され、薬剤を使用することができるようになる。
【０００３】
しかし実際に使用すると分かるのだが、前記篩板式噴霧器１は一体成型でなり、しかも、前記各液カップ１３内に収容されている前記薬剤ａは固定されており、且つ前記ノズル１２を介して外へ放出する霧化の形態も一種類の噴出型態しかないため、使用者が使用する際に、異なる機能に合わせて異なる前記薬剤ａを有する前記液カップ１３を合せて使用することができず、さらには、異なる噴霧效果を持つ前記ノズル１２を異なる効用の前記薬剤ａをもつ前記液カップ１３に結合させることができない。そのため、前記篩板式噴霧器１は、使用コストの支出を節約することができないだけでなく、携帯する上で、前記液カップ１３とノズル１２と前記振動装置１４は一体でつながっており取り外しができないため、体積を縮小できず、使用者は外出する際に一々異なる薬剤効果に合わせて全ての数の前記篩板式噴霧器１を持ち運ばなければならない。このように、上述したいくつかの要因により、従来技術は使用や携帯する上で不便であるため、改善が待たれる。
【考案の概要】
【考案が解決しようとする課題】
【０００４】
本考案は、体積を縮小すること及び素早く組み合わせることができることで、携帯して使用する利便性を大幅に向上させた携帯式篩板霧化器を提供することを目的とする。
【課題を解決するための手段】
【０００５】
本考案による携帯式篩板霧化器は、液カップ装置と、前記液カップ装置の一側に設けられるとともに前記液カップ装置に連結された噴霧ユニットと、前記液カップ装置に連接された振動装置とからなる。その内、前記液カップ装置は、液体の薬剤を収容することができる液カップと、前記液カップに蓋をすることができる蓋体と、前記蓋体に反対で前記液カップの底面に設けられるとともに前記振動装置に対応する連結部とを備える。また、前記振動装置内部には、回路モジュールと、前記振動装置の一側に設けられた入力インターフェイスと、前記回路モジュールと入力インターフェイスにそれぞれ電気的に接続される蓄電モジュールと、前記振動装置に設けられるとともに前記連結部に対応し相互に連結される接合部とを備える。
【考案の効果】
【０００６】
以上により、前記液カップ装置は、前記噴霧ユニットおよび振動装置に連結させることができ、前記携帯式篩板霧化器を収納する際、体積を縮小し携帯の使用に便利である。また、使用する際、前記振動装置に異なる機能をもつ前記液カップ装置を合わせて使用することができる。或は、異なる霧化效果の前記噴霧ユニットと前記液カップ装置を連結して使用することで、様々なニーズに合わせて取り換えて使用することができるため、コストの支出を節約することができるだけでなく、使用上、手軽に素早く組み合わせられて便利であり、利便性を大幅に高めることができる。
【図面の簡単な説明】
【０００７】
【図１】従来の篩板式噴霧器の概略図である。
【図２】本考案による好ましい実施例の立体分解図である。
【図３】本考案による好ましい実施例の作動を示した断面図である。
【図４】前記好ましい実施例の一部構成部材の一つの実施態様を示した概略図である。
【図５】前記好ましい実施例の一部構成部材の別の実施態様を示した概略図である。
【図６】前記好ましい実施例の一部構成部材の更にもう一つの実施態様を示した概略図である。
【考案を実施するための形態】
【０００８】
図２と図３は、本考案による携帯式篩板霧化器３の好ましい実施例であり、本考案は、液カップ装置３１と、前記液カップ装置３１の一側に設けられるとともに前記液カップ装置３１と連結する噴霧ユニット３２と、前記液カップ装置３１と連接された振動装置３３とからなる。その内、前記液カップ装置３１は、液体の薬剤ａを収容できる液カップ３１１と、前記液カップ３１１に形成されるとともに前記噴霧ユニットの箇所に対応する枢設台座３１２と、前記液カップ３１１を蓋をすることで前記薬剤ａが漏れるのを防ぐ蓋体３１３と、前記蓋体３１３と反対で前記液カップ３１１の底面に設けられるとともに前記振動装置３３に対応する連結部３１４とからなる。また、前記噴霧ユニット３２は、前記枢設台座３１２と相互に接合されるノズル３２１と、前記ノズル３２１と前記枢設台座３１２の間に設けられる霧化モジュール３２２とを備え、前記霧化モジュール３２２は、異なる霧化效果に対応するために、様々な霧化方式に設計され、前記ノズル３２１は、異なる使用ニーズに応じて様々なサイズにすることができ、選択して使用することができる。
【０００９】
また、前記振動装置３３内部には、回路モジュール３３１と、前記振動装置３３一側に設けられた入力インターフェイス３３２と、前記回路モジュール３３１と入力インターフェイス３３２にそれぞれ電気的に接続される蓄電モジュール３３３と、前記振動装置３３の頂面に設けられるとともに前記連結部３１４に対応し且つ相互に連結する接合部３３４と、前記入力インターフェイス３３２と反対の前記振動装置３３他側に設けられるとともに前記回路モジュール３３１に連結される導電部材３３５と、が設けられる。それにより、前記液カップ３１１と前記振動装置３３を、前記連結部材３１４と前記接合部材３３４によって連結させたとき、前記導電部材３３５は前記枢設台座３１２内まで伸ばして配置されて前記霧化モジュール３２２に連結される。前述した前記構成部材は、簡単に図示した。また、前記入力インターフェイス３３２はＵＳＢポートにすることができ、Ｍｉｃｒｏ／ＵＳＢケーブルｄによってモバイル電源ｅに外部接続、或は、携帯電話ｆに連結することができる。それにより、前記モバイル電源ｅや前記携帯電話ｆの電源は、前記入力インターフェイス３３２を経由して、前記蓄電モジュール３３３内へ電力を貯蔵することができる（図４から図５に図示）。もちろん、前記入力インターフェイス３３２は、さらに、壁のコンセントに差し込む電源コードに接続する電源ポート（図６に図示）にすることができる。それにより、異なる電源の接続に対応して使用できる。また、前記蓄電モジュール３３３の種類はこれに限定されず、貯蔵電量が大きく電力使用時間を延ばせるリチウム電池（図では、簡単に図示する）を使用することもでき、前記振動装置３３は使用上の制限を受けることはない。また、本実施例における前記回路モジュール３３１はモジュール化して生産することができ、且つ、それから発生する振動モードも、強、中、弱に区分することができ、異なる薬性の前記薬剤ａが必要な振動効果に対応して異なる設計にすることができ、使用者に選択させて使用させることができる。また、前記回路モジュール３３１が生じる振動作動は、前記導電部材３３５を介して前記霧化モジュール３２２の箇所へ伝わり、それにより、前記霧化モジュール３２２は前記導電部材３３５に連動して、同期した振動効果を得られる。
【００１０】
図２から図３を参照する。まず、使用者は、前記入力インターフェイス３３２と外部電源（図示せず）を連結させる。前記入力インターフェイス３３２が絶え間なく電力を前記蓄電モジュール３３３内に貯蔵することにより、電力をバックアップ用に貯めておくことができる。そして、前記蓄電モジュール３３３の電力の貯蔵が完成した後、前記入力インターフェイス３３２は外部電源から取り外すことができる。この時、使用者のニーズに応じて、必要な前記液カップ装置３１を用意し、前記連結部３１４によって接合部３３４と結合させることで、前記液カップ３１１を前記振動装置３３に結合させることができる。そして、前記振動装置３３の起動スイッチｃ（図では簡単に表示する）を起動させると、前記蓄電モジュール３３３から電力が出力され、それにより前記回路モジュール３３１に振動が生じるとともに、前記振動の作用が前記振動装置３３に結合された前記液カップ３１１に伝わることで、前記液カップ３１１内に収容された前記薬剤ａが前記振動に連動する。前記薬剤ａを前記ノズル３２１から噴出させる際は、前記ノズル３２１と前記枢設台座３１２の間に設けられた前記霧化モジュール３２２によって霧化された後、ノズル３２１によって外に噴出される。それにより、前記ノズル３２１から噴出された前記薬剤ａが優れた霧化效果を発揮することができる。もちろん、使用上、前記液カップ装置３１と前記振動装置３３は、それぞれ相互に接合させることができるため、使用者は、異なる薬効作用の前記液カップ装置３１、噴霧ユニット３２及び前記振動装置３３を組み合わせて結合させ使用することができるとともに、適時、前記振動装置３３の振動モードを選択することで、前記液カップ３１１内に収容された前記薬剤ａにさらに優れた霧化效果を達成させることができる。それにより、従来の単一の薬剤の収容と振動方式の使用しかできなかったのとは異なり、コストを減らすことができる以外に、外出で携帯する際に、相互に組み合わせることができる前記液カップ装置３１及び霧化ユニット３２及び振動装置３３を分離させることで、收納上、体積を減らし縮小することができるため、携帯に便利である。さらに、使用する際には、素早く簡単に組み合わせることができるため、使用上の利便性を大幅に高めことができる。
【符号の説明】
【００１１】
（従来）
１      篩板式噴霧器
１１    本体                                                    
１２    ノズル
１３    液カップ                                                      
１４    振動装置
ａ      薬剤
（本考案）
３      携帯式篩板霧化器
３１    液カップ装置                                      
３２    噴霧ユニット
３３    振動装置
３１１  液カップ                                                        
３１２  枢設台座
３１３  蓋体                                                  
３１４  連結部
３２１  ノズル                                                  
３２２  霧化モジュール
３３１  回路モジュール                                    
３３２  入力インターフェイス
３３３  蓄電モジュール
３３４  接合部
３３５  導電部材
ａ      薬剤
ｃ      起動スイッチ
ｄ      ケーブル
ｅ      モバイル電源
ｆ      携帯電話
【図２】
0003209155.tif 000003
【図３】
0003209155.tif 000004
【図４】
0003209155.tif 000005
【図５】
0003209155.tif 000006
【図６】
0003209155.tif 000007
【図１】
0003209155.tif 000008
【手続補正書】
【提出日】平成28年12月14日(2016.12.14)
【手続補正１】
【補正対象書類名】実用新案登録請求の範囲
【補正対象項目名】請求項３
【補正方法】変更
【補正の内容】
【請求項３】
前記振動装置における前記入力インターフェイスと反対の一側に、前記回路モジュールと連接する導電部材が設けられ、前記導電部材は前記連結部内まで伸ばして配置されるとともに前記霧化モジュールに連接されることを特徴とする、請求項２に記載の携帯式篩板霧化器。